(57)【特許請求の範囲】
【請求項１】
内容液を収容する容器の口部に保持されるベースキャップと、該ベースキャップにより該口部に吊下げ保持され該容器の内容液を汲み上げるポンプと、押し下げ及び復元の繰り返しにより該ポンプを駆動させ、前方側に突出するノズルの先端から内容液を吐出させるノズルヘッドと、前記ベースキャップ及び前記ノズルの相互間に着脱自在に装着されるとともに該ノズルの下面に当接して該ノズルヘッドの押し下げを阻止するストッパーと、を備えるポンプディスペンサーにおいて、
前記ストッパーは、前記ノズルヘッドの前方側から左右両側にわたって該ノズルヘッドの側壁外面を取り囲むとともに、後方側に前記ノズルヘッドへの着脱を行うための着脱開口を有する保持側壁を備え、
該保持側壁の内面に、前記ノズルヘッドの左右両側にそれぞれ少なくとも一つ形成された凹部に入り込んで該ノズルヘッドの下方移動を規制する支持凸部が設けられており、
前記凹部は、前記ノズルヘッドの外観露出部における下端部に設けられていることを特徴とするポンプディスペンサー。
【請求項２】
前記保持側壁の上端部に、前記ノズルが入り込む位置決め用の切り欠きを設けた、請求項１に記載のポンプディスペンサー。
【請求項３】
前記凹部は、平面視で、前記ノズルヘッドの中心軸線を中心として、前方側から左右両側にそれぞれ１２０°の位置に形成されてなる、請求項１又は２の何れか一項に記載のポンプディスペンサー。
【請求項４】
前記支持凸部の形状は、平面視で先端が湾曲してなる、請求項１〜３の何れか一項に記載のポンプディスペンサー。
【請求項５】
前記ストッパーの保持側壁の上端は、前記ノズルヘッドへの装着状態で該ノズルヘッドの上端と同一の高さ、又は該ノズルヘッドの上端よりも上方に位置する、請求項１〜４の何れか一項に記載のポンプディスペンサー。
【発明の詳細な説明】
【技術分野】
【０００１】
本発明は、容器に装着されて内容液を吐出する押し下げ式のポンプディスペンサーに関し、特には、ノズルヘッドの押し下げを阻止するストッパーを備えたポンプディスペンサーに関する。
【背景技術】
【０００２】
従来、液体を吐出する容器において、ノズルヘッドの押し下げ及び復元の繰り返しによりポンプを駆動させ、ノズルの先端開口から内容液を吐出するタイプのポンプディスペンサーが使用されている。
【０００３】
このようなポンプディスペンサーにおいては、保管時や運搬時等に、誤ってノズルヘッドが押し下げられて内容液がこぼれ出ないように、ノズルヘッドの押し下げを阻止するストッパーが装着される場合がある。
【０００４】
このようなストッパーとしては、例えば、容器の口部に保持されたベースキャップと、ベースキャップに対して上下動可能に保持されたノズルヘッドの前方側に突出するノズルとの間で、ノズルヘッドの外周面を取り囲むように装着され、ノズルの下面に当接して支持することで、ノズルヘッドの押し下げを阻止する構成のストッパーが知られている。
【発明の概要】
【発明が解決しようとする課題】
【０００５】
しかしながら、ストッパーがノズルの下面のみに当接して支持する場合、すなわち、ノズルヘッドの下方への移動を、ノズルを設けた前方側のみで阻止する場合には不安定であり、ノズルヘッドを押し下げようとすると後方側に傾いてしまうため、十分にノズルヘッドの押し下げを阻止することができず、改善の余地があった。
【０００６】
それゆえ本発明は、ノズルの下面に当接してノズルヘッドの押し下げを阻止するストッパーを備えたポンプディスペンサーにおいて、ノズルヘッドの押し下げ阻止効果を高めたポンプディスペンサーを提供することを目的とする。
【課題を解決するための手段】
【０００７】
本発明は、上記課題を解決するためになされたものであり、本発明のポンプディスペンサーは、内容液を収容する容器の口部に保持されるベースキャップと、該ベースキャップにより該口部に吊下げ保持され該容器の内容液を汲み上げるポンプと、押し下げ及び復元の繰り返しにより該ポンプを駆動させ、前方側に突出するノズルの先端開口から内容液を吐出させるノズルヘッドと、前記ベースキャップ及び前記ノズルの相互間に着脱自在に装着されるとともに該ノズルの下面に当接して該ノズルヘッドの押し下げを阻止するストッパーと、を備えるポンプディスペンサーにおいて、
前記ストッパーは、前記ノズルヘッドの前方側から左右両側にわたって該ノズルヘッドの側壁外面を取り囲むとともに、後方側に前記ノズルヘッドへの着脱を行うための着脱開口を有する保持側壁を備え、
該保持側壁の内面に、前記ノズルヘッドの左右両側にそれぞれ少なくとも一つ形成された凹部に入り込んで該ノズルヘッドの下方移動を規制する支持凸部を設けたことを特徴とする。
【０００８】
また、本発明のポンプディスペンサーにあっては、前記保持側壁の上端部に、前記ノズルが入り込む位置決め用の切り欠きを設けることが好ましい。
【０００９】
また、本発明のポンプディスペンサーにあっては、前記凹部を、前記ノズルヘッドの外観露出部における下端部に設けてなることが好ましい。
【００１０】
また、本発明のポンプディスペンサーにあっては、前記凹部は、平面視で、前記ノズルヘッドの中心軸線を中心として、前方側から左右両側にそれぞれ１２０°の位置に形成されてなることが好ましい。
【００１１】
また、本発明のポンプディスペンサーにあっては、前記支持凸部の形状は、平面視で先端が湾曲してなることが好ましい。
【００１２】
さらに、本発明のポンプディスペンサーにあっては、前記ストッパーの保持側壁の上端は、前記ノズルヘッドへの装着状態で該ノズルヘッドの上端よりも上方に位置することが好ましい。
【発明の効果】
【００１３】
本発明によれば、ノズルの下面に当接してノズルヘッドの押し下げを阻止するストッパーを備えたポンプディスペンサーにおいて、ノズルヘッドの押し下げ阻止効果を高めたポンプディスペンサーを提供することが可能となる。
【図面の簡単な説明】
【００１４】
【図１】（ａ）は、本発明の一実施形態であるポンプディスペンサーの平面図であり、（ｂ）は、図１（ａ）のポンプディスペンサーの側面図である。
【図２】（ａ）は、図１（ａ）、（ｂ）のポンプディスペンサーにおいて、ストッパーを取り外した状態を示す部分拡大図であり、（ｂ）は、本実施形態のノズルヘッドの底面図である。
【図３】本実施形態のノズルヘッドに対してストッパーを装着する様子を表す斜視図である。
【発明を実施するための形態】
【００１５】
以下、図面を参照して、本発明をより具体的に例示説明する。なお、本願明細書、特許請求の範囲、及び要約書において「上」方向、「下」方向とは、ポンプディスペンサーを容器に装着して実際に使用する状態での向きを示す。また、「前」方向とは、ノズルが指向する向き（ノズルの根元に対して先端開口が位置する向き）であり（図１の左側）、「後」方向とは、その反対方向（図１の右側）である。また、「左」、「右」方向とは前から後に向かってポンプ式注出器を見る際の左右方向を示す。
【００１６】
図１（ａ）、（ｂ）は、本発明の一実施形態に係るポンプディスペンサー１を示す。ポンプディスペンサー１は、容器（図示省略）の口部に保持されるベースキャップ２と、内容液を汲み上げるポンプ３と、押し下げ及び復元の繰り返しにより該ポンプ３を駆動させるノズルヘッド４と、ノズルヘッド４に着脱自在に装着されて該ノズルヘッド４の押し下げを阻止するストッパー５と、を備える。
【００１７】
ポンプディスペンサー１が装着される容器としては、例えば下側から底部、胴部、肩部、及び口部を有する構成とし、内部にシャンプー、リンス、化粧料、調味料等の内容液を収容する容器とすることができるが、容器の形状や内容液の種類は特に限定されるものではない。
【００１８】
ベースキャップ２は、容器の口部の外周側に係合保持される円筒状の側壁２ａを有する。側壁２ａは、例えば、ねじ係合やアンダーカット係合により口部に係合保持される構成とすることができるが、これに限定されるものではない。
【００１９】
また、ベースキャップ２の上面２ｂには、軸線方向に貫通する上部開口２ｃが形成されている。上部開口２ｃの内径は、ノズルヘッド４の側壁外面４ａの外径よりも僅かに大きくなっており、押し下げられたノズルヘッド４が上部開口２ｃに入り込む構成とされている。
【００２０】
ポンプ３は、ベースキャップ２によって容器の口部に吊下げ保持され、容器の内容液を汲み上げるものである。ポンプ３は、押し下げ及び復元の繰り返しにより駆動し、内容液を吸引してノズル６に向けて圧送する。なお、ポンプ３の構造は特に限定されるものではなく、公知の構造を採用することができる。
【００２１】
ノズルヘッド４は、ベースキャップ２に対して上下動可能に設けられ、内部に設けたばね等の弾性部材により、上方付勢状態で保持されている。ノズルヘッド４は、円筒状の側壁における外面４ａの上端部から前方側に突出するノズル６を有し、ポンプ３の駆動により吸引、圧送された内容液は、ノズル６の先端開口６ａから吐出される。なお、内容液の吐出形態は特に限定されず、液状、霧状等とすることができる。
【００２２】
ノズルヘッド４の側壁外面４ａには、左右両側にそれぞれ１つの凹部４ｂが形成されている。図２（ａ）に示すように、本実施形態においては、ノズルヘッド４の外観露出部における下端部に凹部４ｂが設けられている。
【００２３】
ここで、図２（ｂ）は、ノズルヘッド４の底面図である。図示のように、本実施形態において、凹部４ｂの形状は、側壁外面４ａから径方向内側に向けて円弧状に窪んだ形状とされている。また、図２（ｂ）に示すように、ノズルヘッド４の中心軸線Ｃから前方側に延びる直線と、中心軸線Ｃから各凹部４ｂの中心に向けて延びる直線とがなす角度θ１及びθ２は、１２０°とされている。すなわち、凹部４ｂは、軸線Ｃを中心として、ノズルヘッド４の前方側から左右両側１２０°の位置にそれぞれ設けられている。本実施形態において、凹部４ｂは、ノズルヘッド４の前方側から視認できない位置に設けられている。
【００２４】
ストッパー５は、図１（ａ）、（ｂ）及び図３に示すように、ノズルヘッド４の側壁外面４ａを、前方側から左右両側にわたって取り囲む、平面視略Ｃ字状の保持側壁５ａを有し、該保持側壁５ａは、その後方側に、ノズルヘッド４への着脱を行うための着脱開口５ｂを有する。また、ストッパー５は、保持側壁５ａにおける着脱開口５ｂの両側の縁部から連なるガイド部５ｃを有し、一対のガイド部５ｃは、保持側壁５ａへの連結部から先端に向けて相互間の距離が拡大している。このガイド部５ｃにより、ストッパー５をノズルヘッド４に装着する際に、着脱開口５ｂ内にノズルヘッド４を誘導し、装着を容易にすることができる。
【００２５】
本実施形態においては、保持側壁５ａの前方側の上端部に、ノズル６が入り込む位置決め用の切り欠き５ｄが設けられている。また、保持側壁５ａの内面には、凹部４ｂに入り込んでノズルヘッド４の下方移動を規制する支持凸部５ｅが設けられている。支持凸部５ｅは、凹部４ｂの位置、形状に対応しており、保持側壁５ａの内面下端部から径方向内側に向かって、平面視で円弧状に突出している。
【００２６】
また、保持側壁５ａの内面には、各支持凸部５ｅの上面５ｈから軸線方向に沿って上方に延びる縦リブ５ｆがそれぞれ設けられており、前方側にも、軸線方向に延びる縦リブ５ｇが設けられている。ノズルヘッド４への装着状態において、ストッパー５の縦リブ５ｆ、５ｇの径方向内端がノズルヘッド４の側壁外面４ａに当接することにより、装着状態におけるストッパー５のガタつきを防止することができる。
【００２７】
ストッパー５をノズルヘッド４に装着する際には、ストッパー５の切り欠き５ｄをノズル６の位置に合わせ、ノズルヘッド４の前方側から後方側に向かって、ストッパー５を着脱開口５ｂ側から押し込んでいく。着脱開口５ｂの幅は、ノズルヘッド４の側壁外面４ａの直径よりも小さく設定されているものの、ガイド部５ｃがノズルヘッド４の側壁外面４ａに摺動することにより保持側壁５ａが弾性変形して着脱開口５ｂの幅が一時的に拡大する。これにより、ノズルヘッド４が着脱開口５ｂを通過し、ストッパー５をノズルヘッド４に装着することができる。また、これに伴い、支持凸部５ｅが凹部４ｂに入り込むこととなる。図１（ｂ）に示すように、ノズルヘッド４への装着状態において、ストッパー５の下端がベースキャップ２の上面２ｂに当接して支持される。
【００２８】
ストッパー５をノズルヘッド４から取り外す場合には、両側のガイド部５ｃを開くようにして着脱開口５ｂの幅を拡大させ、保持側壁５ａを前方側にスライドさせることで、取り外すことができる。
【００２９】
以上のような構成を有する本実施形態のポンプディスペンサー１にあっては、ストッパー５の装着状態でノズルヘッド４を押し下げようとした場合、ノズル６の下面が切り欠き５ｄの位置で保持側壁５ａの上端に当接するとともに、凹部４ｂの天面４ｃ（下方を向く面）が支持凸部５ｅの上面５ｈに当接して、ノズルヘッド４の下方移動が規制される。すなわち、ノズルヘッド４の前方側でノズル６の下面を支持するのみならず、左右両側に設けた支持凸部５ｅで支持し、少なくとも周方向の３点で下方移動を規制することにより、より安定した状態でノズルヘッド４の押し下げを阻止することができる。その結果、ストッパー５によるノズルヘッド４の押し下げ阻止効果を高めることができる。さらに、装着状態において支持凸部５ｅが凹部４ｂに入り込むことにより、ストッパー５の脱落を防止する効果を得ることもできる。
【００３０】
また、本実施形態のポンプディスペンサー１にあっては、保持側壁５ａの前方側の上端部に位置決め用の切り欠き５ｄを設けたことにより、ノズル６を切り欠き５ｄの位置に合わせてストッパー５を装着するだけで、凹部４ｂに対する支持凸部５ｅの位置合わせを行うことができる。
【００３１】
また、本実施形態のポンプディスペンサー１にあっては、ノズル６と、２つの凹部４ｂとを、中心軸線Ｃの周りで１２０°間隔に配置したことにより、周方向に均等な３点でノズルヘッド４を支持することとなるため、さらに安定した状態でノズルヘッド４の押し下げを阻止することが可能となる。
【００３２】
また、本実施形態のポンプディスペンサー１にあっては、凹部４ｂを設ける位置を、ノズルヘッド４の前方側から視認できない位置とし、また、外観露出部における下端部としたことにより、凹部４ｂを外観上、目立たなくすることができる。
【００３３】
また、本実施形態のポンプディスペンサー１にあっては、支持凸部５ｅを、径方向内側に向かって、平面視で円弧状に突出する形状としたことにより、ストッパー５の着脱時にノズルヘッド４の側壁外面４ａに接触した場合でも摺動し易いため、円滑な着脱が可能となる。このような観点から、支持凸部５ｅの形状は、平面視で先端（径方向内端）が湾曲した形状であることが好ましい。
【００３４】
なお、ストッパー５をノズルヘッド４に装着した状態で、ストッパー５の保持側壁５ａの上端が、ノズルヘッド４の上端と同一の高さ、又はノズルヘッド４の上端よりも上方に位置することが好ましい。ここで保持側壁５ａの上端が、ノズルヘッド４の上端よりも低い場合、ストッパー５の装着状態でノズルヘッド４を押し下げると、その下方への力を全てノズルヘッドが受けることとなる。その結果、凹部４ｂの天面４ｃに当接する支持凸部５ｅには大きな負荷がかかるため、支持凸部５ｅが破損したり、凹部４ｂから外れてストッパー５が脱落したりする虞がある。これに対して、保持側壁５ａの上端が、ノズルヘッド４の上端と同一の高さである場合には、ノズルヘッド４を押し下げようとする力を、保持側壁５ａとノズルヘッド４の両方で受けることとなるため、支持凸部５ｅへの負荷を低減することができる。さらに、保持側壁５ａの上端が、ノズルヘッド４の上端よりも上方に位置する場合には、ノズルヘッド４を押し下げようとする力を、保持側壁５ａのみで受けることとなるので、支持凸部５ｅの破損やストッパー５の脱落を防止することができる。なお、本実施形態では、ノズルヘッド４への装着状態で、ストッパー５の保持側壁５ａの上端がノズルヘッド４の上端と同一の高さに位置する構成としている。
【００３５】
以上、図示例に基づき説明したが、本発明は上述の実施形態に限定されるものでなく、特許請求の範囲の記載範囲内で適宜変更することができるものであり、例えば、凹部４ｂ及び支持凸部５ｅを、左右両側にそれぞれ複数設けることもできる。
【符号の説明】
【００３６】
１  ポンプディスペンサー
２  ベースキャップ
２ａ  側壁
２ｂ  上面
２ｃ  上部開口
３  ポンプ
４  ノズルヘッド
４ａ  側壁外面
４ｂ  凹部
５  ストッパー
５ａ  保持側壁
５ｂ  着脱開口
５ｃ  ガイド部
５ｄ  切り欠き
５ｅ  支持凸部
６  ノズル
６ａ  先端開口
Ｃ  中心軸線
【図１】
0006366461.tif 000002
【図２】
0006366461.tif 000003
【図３】
0006366461.tif 000004